(57)【特許請求の範囲】
【請求項１】
上部に吸込口と、前面下部に吹出口とを備えた本体と、
前記本体の両側面に、一端を回動自在に軸支されたアームと、
前記アームの他端間に回転自在に軸支された板状の導風板とを備え、
運転時には、前記導風板を前記吹出口の前方に配置し、
運転停止時には、前記導風板を前記本体の上面に配置することを特徴とする壁掛け型の空気調和機。
【請求項２】
請求項１に記載の壁掛け型の空気調和機において、
前記吸込口が前記本体の上面に配置され、
運転停止時には、前記導風板により前記吸込口を覆うようにすることを特徴とする壁掛け型の空気調和機。
【発明の詳細な説明】
【技術分野】
【０００１】
本発明は、吹出口に設けられた風向板によって偏向され、同吹出口から吹出される調和空気を、冷房運転時は水平方向に、暖房運転時は垂直方向に向けて偏向し、より指向性を高めるために、風向板とは別の導風板を備えた空気調和機に関するものである。
【背景技術】
【０００２】
従来の空気調和機として、特許文献１に示すようなものがある。この特許文献１に開示されている空気調和機では、運転時の調和空気の指向性を高めるために、図６に示すように、空気調和機の本体の両側に回動自在に取付けられたアームの先端間に導風板を回動自在に軸支している。この導風板が吹出口から吹出される調和空気を、冷房運転時には水平方向に偏向し、暖房運転時には垂直方向に偏向するようにしている。
【０００３】
【特許文献１】実用新案登録第３０８８７０９号公報
【発明の概要】
【発明が解決しようとする課題】
【０００４】
しかし、上記構成によると運転停止時に導風板が空気調和機本体の下面に位置するようにしているため、使用者に視認されることになり、外観が良くないものであった。
【０００５】
そこで、本発明は、運転時に導風板により吹出される調和空気の指向性を高めるとともに、運転停止時に、導風板を空気調和機の本体の上面に位置するようにすることで、外観を良くした空気調和機を提供することを目的とする。
【課題を解決するための手段】
【０００６】
上記目的を達成するために、本発明の壁掛け型の空気調和機は、上部に吸込口と、前面下部に吹出口とを備えた本体と、前記本体の両側面に、一端を回動自在に軸支されたアームと、前記アームの他端間に回転自在に軸支された板状の導風板とを備え、運転時には、前記導風板を前記吹出口の前方に配置し、運転停止時には、前記導風板を前記本体の上面に配置するものである。
【０００７】
さらに、本発明の壁掛け型の空気調和機は、前記吸込口が前記本体の上面に配置され、運転停止時には、前記導風板により前記吸込口を覆うようにするものである。
【発明の効果】
【０００８】
本発明の空気調和機においては、運転停止時に、導風板を本体の上面に位置させるようにしているので、導風板が使用者に視認されることがなく、意匠性を高めることができる。さらに、本体の上面にある吸込口を導風板で覆うことで運転停止時にホコリ等が吸込口より本体内に入ることを防止することができる。
【図面の簡単な説明】
【０００９】
【図１】本発明における空気調和機の斜視図である。
【図２】本発明における空気調和機の冷房運転時の側面図である。
【図３】本発明における空気調和機の暖房運転時の側面図である。
【図４】本発明における空気調和機の運転停止時の側面図である。
【図５】本発明における空気調和機の導風板とアームと本体の接続構造を示した分解斜視図である。
【図６】従来発明における空気調和機の斜視図である。
【発明を実施するための形態】
【００１０】
本発明の空気調和機では、吹出口から送出される調和空気の風向をより効果的に偏向し指向性を高めるために、本体の両側部に一端を回動自在に取付けられたアームの他端間に回転自在に導風板を取付け、運転時には、導風板を吹出口の前に配置させ、運転停止時には、アームを回動して導風板を本体の上面に配置させるようにしている。
【００１１】
以下、本発明の実施の形態における空気調和機について、図１ないし図５を基に説明する。
【００１２】
初めに、本発明の空気調和機の各構成について説明する。図１に示すように、本発明の空気調和機は、本体１とアーム１０と導風板２０を備えている。
【００１３】
本体１は、図１に示すように、本体１の上部に室内空気を本体１に吸込むための吸込口２と、本体１の前面下部に調和空気を室内に吹出すための吹出口３を備えている。また、図２に示すように、本体１は、吸込口２から吸込んだ室内空気と冷媒との間で熱交換させる室内熱交換器４と、吸込口２から室内空気を吸込み、吹出口３から調和空気を吹出すためのファン５とを備え、前記吹出口３には調和空気の風向を水平方向と垂直方向に偏向するための第一風向板６aと第二風向板６bとを備えている。なお、調和空気は、ファン５によって吸込まれた室内空気が室内熱交換器４で冷媒と熱交換することで生成される冷気や暖気などの空気である。また、本体１の上部は、本体１の上面から前面上部までを指すものである。本実施例では、吸込口２を本体１の上面に備えているが、本発明はこれに限定するものではなく、本体１の上部であれば良く、本体１の前面上部だけや、本体１の前面上部と本体１の上面の両方に吹出口２を備えても良い。
【００１４】
アーム１０は、図１に示すように、本体１の両側部に一端を回動自在に取付けられた棒形状のものであり、また、導風板２０は、アーム１０の他端間に回転自在に軸支された板形状のものである。
【００１５】
本体１、アーム１０、導風板２０の取付構造について、図５に基づいて説明する。図５に示すように、本体１の両側部には、モータ軸７が突出されている。アーム１０の内側の一端には、モータ軸７が嵌合されるモータ軸受け部１１が形成されている。アーム１０の内側の他端には、導風板支軸受け部１２が形成されている。導風板２０の両側部には、導風板支軸受け部１２に軸支される導風板支軸２１が突出されている。モータ軸７は、モータ軸受け部１１と導風板支軸２１を個別に回転させることができる。なお、本発明の空気調和機では、モータ軸７とモータ軸受け部１１、導風板支軸受け部１２と導風板支軸２１との関係は凹／凸に取付けることが出来れば良く、軸と軸受け部が逆になっていても良い。
【００１６】
アーム１０を回動させる仕組みについて以下に説明する。モータ軸７が回転すると、嵌合されるモータ軸受け部１１も回転する。モータ軸受け部１１はアームに１０に固定されているため、アーム１０が本体１に対して回動する。このように、アーム１０を本体１の真下から真上まで回動することで、導風板２０を、本体１の下方から上方まで移動させることが出来る。
【００１７】
導風板２０を回転させる仕組みについて以下に説明する。モータ軸７が回転すると、導風板支軸２１が回転する。導風板支軸２１は導風板２０に固定されているため、導風板２０はアームに対して回転する。
【００１８】
次に、本実施例の空気調和機の冷房運転時、暖房運転時、運転停止時について説明する。
【００１９】
冷房運転時について、図２を基に説明する。図２に示すように、ファン５によって吸込口２から吸込まれた室内空気は室内熱交換器４で冷却され、吹出口３から室内に吹出されている。吹出口３から吹出される調和空気を水平方向に吹出すために、第一風向板６a、第二風向板６bを共に略水平となるように回動させる。この第一風向板６aの延長線上に、導風板２０が配置されるようにアーム１０を回動させる。また、導風板２０は、調和空気を水平方向により偏向させるために、水平となるよう回転させる。これにより、吹出口３から吹出された調和空気は、第一風向板６a、第二風向板６b、導風板２０に沿って流れ、水平方向に吹出される。
【００２０】
暖房運転時について、図３を基に説明する。図３に示すように、ファン５によって吸込口２から吸込まれた室内空気は室内熱交換器４で加熱され、吹出口３から室内に吹出されている。暖房運転時は、吹出口３から吹出される調和空気を垂直下方向に吹出すために、第一風向板６a、第二風向板６bを共に略垂直となるように回動させる。この第二風向板６bの延長線上に、導風板２０が配置されるようにアーム１０を回動させる。また、導風板２０は調和空気を垂直下方向に吹出すために、略垂直となるよう回転させる。これにより、吹出口３から吹出された調和空気は、第一風向板６a、第二風向板６b、導風板２０に沿って流れ、垂直下方向に吹出される。
【００２１】
運転停止時について、図４を基に説明する。図４に示すように、運転停止時は、第一風向板６a、第二風向板６bは共に吹出口３を塞ぐように回動される。また、アーム１０を回動して導風板２０を本体１の上面に配置する。この時、導風板２０は、本体１の上面の傾きと同じ傾きになるように回転する。なお、本体１の上面に吸込口２がある場合は、吸込口２を覆うように配置する。これにより、運転停止時にチリやホコリなどが吸込口２から本体１内に侵入することを防ぐことが出来る。
【００２２】
上記の仕組みにより、冷房運転時は吹出口３にある第一風向板６aの延長線上に導風板２０を配置し、暖房運転時は吹出口３にある第二風向板６bの延長線上に導風板２０を配置することで、調和空気を室内に効果的に送風することができる。
【００２３】
なお、本発明の空気調和機は、導風板２０と本体１が接触することなくアーム１０および導風板２０を回動出来れば良い。このとき、導風板２０とアーム１０が同時に回動して良く、また、アーム１０が回動し終わった後に導風板２０が回転しても良い。
【符号の説明】
【００２４】
１  本体
２  吸込口
３  吹出口
４  室内熱交換器
５  ファン
６a  第一風向板
６b  第二風向板
７  モータ軸
１０  アーム
１１  モータ軸受け部
１２  導風板支軸受け部
２０  導風板
２１  導風板支軸
【図１】
0005817391.tif 000002
【図２】
0005817391.tif 000003
【図３】
0005817391.tif 000004
【図４】
0005817391.tif 000005
【図５】
0005817391.tif 000006
【図６】
0005817391.tif 000007